(57)【特許請求の範囲】
【請求項１】
絶縁基板、前記絶縁基板の上に多数に分離されて形成されており、マトリックス状の画素に開口部を有するとともに網状に形成されていて導電性物質で形成されたブラックマトリックス、前記ブラックマトリックスを覆う絶縁膜、前記絶縁膜上部に形成されており、横方向にのびているゲート線及び前記ゲート線に連結されているゲート電極を含むゲート配線、前記絶縁膜上部に形成されて前記ゲート配線を覆っているゲート絶縁膜、前記ゲート絶縁膜上部に形成されている半導体層、前記半導体層上部に形成されている抵抗性接触層、互いに分離されて前記抵抗性接触層上部に形成されているソース及びドレーン電極と前記ソース電極と連結されていて前記ゲート線と交差して前記画素を定義するデータ線を含むデータ配線、前記データ配線を覆っている保護膜、前記ドレーン電極と電気的に連結されている画素電極、及び前記ゲート配線または前記データ配線と同一層に位置し、多数に分離された前記ブラックマトリックスの間に形成されていて遮光性を有するバッファー膜を含む液晶表示装置用薄膜トランジスタ基板。
【請求項２】
前記ブラックマトリックスは前記ゲート線と重複する第１部分と前記第１部分と分離されており、前記データ線と重複する第２部分を含む請求項１に記載の液晶表示装置用薄膜トランジスタ基板。
【請求項３】
前記ゲート配線または前記データ配線と重なっている前記ブラックマトリックスの一部は除去されている請求項２に記載の液晶表示装置用薄膜トランジスタ基板。
【請求項４】
前記ブラックマトリックスは互いに隣接する前記画素電極と重なるように形成されている請求項１に記載の液晶表示装置用基板。
【請求項５】
前記画素電極と前記ブラックマトリックスとは、０．５〜２μｍ範囲の幅で重なっている請求項４に記載の液晶表示装置用薄膜トランジスタ基板。
【請求項６】
前記画素電極とデータ線とは、２〜６μｍ範囲の間隔をおいて形成されている請求項１に記載の液晶表示装置用薄膜トランジスタ基板。
【請求項７】
前記絶縁膜は酸化ケイ素を含む請求項１に記載の液晶表示装置用薄膜トランジスタ基板。
【請求項８】
前記絶縁膜は０．５〜３μｍ範囲の厚さで形成されている請求項１に記載の液晶表示装置用薄膜トランジスタ基板。
【請求項９】
前記液晶表示装置用基板は液晶分子が基板に対して垂直に配列されている垂直配向方式の液晶表示装置に用いられる請求項１に記載の液晶表示装置用薄膜トランジスタ基板。
【請求項１０】
前記液晶表示装置用基板は液晶分子が基板に対して平行に配列し、前記画素電極が線状に形成されており、前記画素電極と対向する線状の共通電極をさらに含む水平配向方式の液晶表示装置に用いられる請求項１に記載の液晶表示装置用薄膜トランジスタ基板。
【請求項１１】
前記画素電極と重なって維持容量を形成する維持電極をさらに含む請求項１に記載の液晶表示装置用薄膜トランジスタ基板。
【請求項１２】
互いに分離されていて他の方向にのびている第１部分と第２部分と含み、マトリックス状の画素に開口部を有するとともに網状に形成されているブラックマトリックス、横方向にのびており、前記ブラックマトリックスの前記第１部分と絶縁されて重なっているゲート線、前記ゲート線と絶縁されて交差することにより前記画素を定義し、前記ブラックマトリックスの前記第２部分と絶縁されて重なっているデータ線、及び前記ゲート配線または前記データ配線と同一層に位置し、多数分離された前記ブラックマトリックスの間に形成されていて遮光性を有するバッファー膜を含む液晶表示装置用薄膜トランジスタ基板においてゲート線または前記データ線が断線した場合、前記ゲート線と前記第１部分または前記データ線と前記第２部分を短絡することにより前記ゲート線または前記データ線を修理する段階を含む薄膜トランジスタ基板の修理方法。
【請求項１３】
第１絶縁基板、前記第１絶縁基板の上に多数分離されて形成されており、マトリックス状の画素に開口部を有するとともに網状に形成されていて導電性物質で形成されたブラックマトリックス、前記ブラックマトリックスを覆う絶縁膜、前記絶縁膜上部に形成されており、横方向にのびているゲート線及び前記ゲート線に連結されているゲート電極を含むゲート配線、前記絶縁膜上部に形成されて前記ゲート配線を覆っているゲート絶縁膜、前記ゲート絶縁膜上部に形成されている半導体層、前記半導体層上部に形成されている抵抗性接触層、互いに分離されて前記抵抗性接触層上部に形成されているソース及びドレーン電極と前記ソース電極と連結されていて前記ゲート線と交差して前記画素を定義するデータ線を含むデータ配線、前記データ配線を覆っている保護膜、前記ドレーン電極と前記保護膜の接触孔を通じて電気的に連結されている画素電極を含む画素配線、前記ゲート配線または前記データ配線と同一層に位置し、多数分離された前記ブラックマトリックスの間に形成されていて遮光性を有するバッファー膜、前記第１絶縁基板と対向する第２絶縁基板、及び前記第１絶縁基板と対向する前記第２絶縁基板上部に形成されており、前記画素電極と対向して液晶分子を駆動するための電場を形成する共通電極を含む液晶表示装置。
【請求項１４】
前記ブラックマトリックスは前記ゲート線と重複する第１部分と前記第１部分と分離されており、前記データ線と重複する第２部分を含む請求項１３に記載の液晶表示装置。
【請求項１５】
前記液晶分子は前記第１及び第２絶縁基板に対して垂直に配列されている請求項１３に記載の液晶表示装置。
【請求項１６】
前記画素電極は前記液晶分子の傾斜方向を分散させて液晶分子を分割配向させるための一つ以上の開口部パターンを有する請求項１３に記載の液晶表示装置。
【請求項１７】
前記共通電極は前記液晶分子の傾斜方向を分散させて液晶分子を分割配向させるための一つ以上の開口部パターンを有する請求項１３に記載の液晶表示装置。
【請求項１８】
前記開口部パターンは前記液晶分子の傾斜方向を４方向に分散させて液晶分子を分割配向する請求項１６または１７に記載の液晶表示装置。
【請求項１９】
前記画素電極と重なって維持容量を形成する維持電極をさらに含む請求項１８に記載の液晶表示装置。
【請求項２０】
前記開口部パターンの中央部または縁部部分に対応する部分に形成されている遮光膜をさらに含む請求項１９に記載の液晶表示装置。
【発明の詳細な説明】
【０００１】
【発明の属する技術分野】
本発明は液晶表示装置用薄膜トランジスタ基板及びその修理方法に関する。
【０００２】
【従来の技術】
液晶表示装置は現在最も広く用いられている平板表示装置のうちの一つであって、電極が形成されている二枚の基板とその間に挿入されている液晶層からなり、電極に電圧を印加して液晶層の液晶分子を再配列させることによって透過する光の量を調節して画像を表示する装置である。
【０００３】
液晶表示装置の中でも現在主に用いられるのは二つの基板に電極が各々形成されていて電極に印加される電圧をスイッチングする薄膜トランジスタを有している液晶表示装置であり、二つの基板のうちの一つには薄膜トランジスタと画素電極とが形成されており、他の基板にはカラーフィルターとブラックマトリックス(ｂｌａｃ−ｋ ｍａｔｒｉｘ)と全面の共通電極が形成されているのが一般的である。
【０００４】
【発明が解決しようとする課題】
このような液晶表示装置の輝度を向上させるためにはパネルの高い開口率を確保するのが重要な課題である。しかし、ブラックマトリックスは二つの基板の整列誤差を考慮して広い幅で形成するようにするが、これが開口率を減少させる要因になる。
【０００５】
本発明における技術的課題は、開口率を確保することができる液晶表示装置用薄膜トランジスタ基板及びその製造方法を提供することにある。
【０００６】
【課題を解決するための手段】
このような課題を達成するために本発明では、薄膜トランジスタの下部に単位画素に開口部を有するブラックマトリックス(ｂｌａｃｋ ｍａｔｒｉｘ)を形成する。
【０００７】
さらに詳細には、本発明による液晶表示装置用薄膜トランジスタ基板には、絶縁基板上部のマトリックス状の画素に開口部を有しており、多数分離されているブラックマトリックスが網状に形成されている。
【０００８】
さらに詳細には、本発明による液晶表示装置用薄膜トランジスタ基板には、絶縁基板の上に多数分離されており、マトリックス状の画素に開口部を有するとともに網状に導電性物質で形成されたブラックマトリックスが形成されている。ブラックマトリックスを覆う絶縁膜上部には横方向にのびているゲート線及びゲート線に連結されているゲート電極を含むゲート配線が形成されており、その上部にはゲート配線を覆っているゲート絶縁膜が形成されている。ゲート絶縁膜上部には半導体層と抵抗性接触層とが形成されており、互いに分離されて抵抗性接触層の上部に位置するソース及びドレーン電極とソース電極と連結されていてゲート線と交差して画素を定義するデータ線を含むデータ配線が形成されている。また、データ配線を覆っている保護膜が形成されており、ドレーン電極と電気的に連結されている画素電極が形成されている。ゲート配線またはデータ配線と同一層に位置し、多数に分離されたブラックマトリックスの間に、遮光性を有するバッファー膜が形成されている。
【０００９】
ブラックマトリックスはゲート線と重複する第１部分と、第１部分と分離されていて、データ線と重複する第２部分とからなるのが好ましく、ゲート配線またはデータ配線と重なっている一部が除去できる。
【００１０】
ここで、ブラックマトリックスは互いに隣接する画素電極と０．５〜２μｍ範囲程度の幅で重なり、画素電極とデータ線とは６μｍ以下の間隔をおいて形成されるのが好ましい。
【００１１】
絶縁膜は酸化ケイ素を用いて形成することができ、０．５〜３μｍ範囲の厚さを有するのが好ましい。
【００１２】
このような液晶表示装置用薄膜トランジスタ基板は液晶分子が基板に対して垂直配列されている垂直配向方式の液晶表示装置に用いることができ、液晶分子が基板に対して平行に配列し、画素電極が線状に形成されていて画素電極と対向する線状の共通電極をさらに含む水平配向方式の液晶表示装置に用いることができる。
【００１３】
このような構造において、ゲート線またはデータ線が断線した場合、ゲート線と第１部分またはデータ線と第２部分を短絡させて断線したゲート線またはデータ線を修理することができる。
【００１４】
一方、垂直配向方式の液晶表示装置は画素電極と対向して液晶分子を駆動するための電場を形成する共通電極が形成されている絶縁基板をさらに含む。この時、画素電極または共通電極は液晶分子の傾斜方向を分散させて液晶分子を分割配向させるための一つ以上の開口部パターンを有することができ、開口部パターンは液晶分子の傾斜方向を４方向に分散して液晶分子を分割配向するように形成されるのが好ましい。
【００１５】
【発明の実施の形態】
添付した図面を参考として本発明の実施例による液晶表示装置用薄膜トランジスタ基板及びその修理方法について本発明の属する技術分野における通常の知識を有する者が容易に実施できるように詳細に説明する。
【００１６】
まず、図１乃至図３を参照して本発明の実施例による薄膜トランジスタ基板の構造について詳細に説明する。
【００１７】
図１は本発明の実施例による薄膜トランジスタ基板の構造を示した配置図であり、図２は図１のＩＩ-ＩＩ’線に沿って切断して示した断面図である。図２では薄膜トランジスタ基板と対向するカラーフィルター基板も共に示されている。
【００１８】
まず、下部絶縁基板１０の上部に不透明な導電物質または窒化クロムまたは窒化モリブデンなどを含む単一膜または多層膜からなるブラックマトリックス９０が形成されている。ブラックマトリックス９０はマトリックス状の画素に開口部を有していて網状に形成されており、互いに分離されていて横方向にのびている横部９２と縦方向にのびている縦部９４を含む。ブラックマトリックス９０は画素の間で漏洩する光を遮断する機能を有し、以後に形成される薄膜トランジスタの半導体層４０に入射する光を遮断するために変形した形態とすることができる。ここで、ブラックマトリックス９０を横部９２と縦部９４とに分離する理由は以後に横部９２及び縦部９４と各々重なって形成されるゲート線２２及びデータ線６２に各々伝えられる走査信号及びデータ信号が互いに干渉を起こしたり、信号に対する遅延を最少化するためである。
【００１９】
下部絶縁基板１０の上部にはブラックマトリックス９０を覆う絶縁膜１００が形成されている。絶縁膜１００は３．０〜４．０程度の低い誘電率を有する酸化ケイ素(ＳｉＯＸ)で形成するのが好ましく、０．５〜３．０μｍ程度に充分な厚さを有するのが好ましい。これは、ブラックマトリックス９０によって以後に形成されるゲート配線２２、２６及びデータ配線６２、６５、６６に伝達される信号に対する遅延を最少化するためである。
【００２０】
絶縁膜１００上部にはアルミニウム(Ａｌ)またはアルミニウム合金(Ａｌａｌｌｏ−ｙ)、モリブデン(Ｍｏ)またはモリブデン-タングステン(ＭｏＷ)合金、クロム(Ｃｒ)、タンタル(Ｔａ)、銅(Ｃｕ)または銅合金(Ｃｕａｌｌｏｙ)などの金属または導電体で作られたゲート配線が形成されている。ゲート配線は横方向にのびており、走査信号線またはゲート線２２及びゲート線２２の一部である薄膜トランジスタのゲート電極２６を含む。ここで、ゲート線２２は後述する画素電極８２と重なって画素の電荷保存能力を向上させる維持蓄電器をなし、後述する画素電極８２とゲート線２２の重畳で発生する維持容量が十分でない場合、維持容量用配線を追加的に形成することもできる。
【００２１】
一方、ゲート配線２２、２６と同一層にはブラックマトリックス９０の横部９２と縦部９４との間で漏洩する光を遮断するためにこれらと重なっているバッファー膜２８が形成されている。
【００２２】
絶縁膜１００上には窒化ケイ素(ＳｉＮＸ)などからなるゲート絶縁膜３０がゲート配線２２、２６を覆っており、ゲート電極２６の上のゲート絶縁膜３０上部には水素化非晶質ケイ素(ｈｙｄｒｏｇｅｎａｔｅｄ ａｍｏｒｐｈｏｕｓ ｓｉｌｉｃｏｎ)などの半導体からなる薄膜トランジスタの半導体層４０が島状に形成されている。半導体層４０上には燐(Ｐ)などのｎ型不純物で高濃度にドーピングされている非晶質ケイ素または微細結晶化されたケイ素または金属シリサイドなどを含む抵抗性接触層(ｏｈｍｉｃ ｃｏｎｔａｃｔ ｌａｙｅｒ)５５、５６がゲート電極２６を中心に分離されて形成されている。
【００２３】
ゲート絶縁膜３０及び抵抗性接触層５５、５６上には低抵抗を有するアルミニウム系列または銅系列または銀系列の導電物質からなるデータ配線が形成されている。データ配線は縦方向に形成されてゲート線と単位画素を定義するデータ線６２、そしてデータ線６２と連結されていて抵抗性接触層(５５)上に位置する薄膜トランジスタのソース電極６５及びデータ線部６２、６５と分離されており、ゲート電極２６に対してソース電極６５の反対側の抵抗性接触層(５６）の上部に位置する薄膜トランジスタのドレーン電極６６を含む。
【００２４】
データ配線６２、６５、６６上には保護膜７０が形成されており、保護膜７０はドレーン電極６６を露出する接触孔７６を有し、保護膜７０は窒化ケイ素やアクリル系などの有機絶縁物質で形成することができる。
【００２５】
保護膜７０上には薄膜トランジスタから画像信号を受けて上板の電極と共に電場を生成する画素電極８２が形成されている。画素電極８２はＩＴＯ(ｉｎｄｉｕｍ ｔｉｎ ｏｘｉｄｅ)またはＩＺＯ(ｉｎｄｉｕｍ ｚｉｎｃ ｏｘｉｄｅ)などの透明な導電物質で作られ、接触孔７２を通じてドレーン電極６６と物理的・電気的に連結されて画像信号の伝達を受ける。この時、画素電極８２とブラックマトリックス９０が重なる幅(ｂ)は０．５〜２μｍの範囲になるようにし、画素電極８２とデータ線６２との間の間隔(ｃ)は２〜６μｍ程度になるように形成するのが好ましく、互いに隣接する画素電極８２の間の間隔(ａ)はデータ線６２の幅と２倍の幅ｂ及びｃによって可変的に決定され、データ線６２の金属の種類によって変わることがある。
【００２６】
一方、図２のように、下部絶縁基板１０と対向する面の上部絶縁基板２００上に赤、緑、青のカラーフィルター２１０が画素に形成されており、その上部には保護膜２２０が形成されている。この時、保護膜２２０は必須のものではなく、省略することができる。また、保護膜２２０の上部全面には画素電極８２と共に液晶分子を駆動するための電場を形成する共通電極２３０が形成されている。この時、ブラックマトリックス９０を赤、緑、青のカラーフィルター２１０を上部絶縁基板２００に形成する場合にはゲート配線２２、２６及びデータ配線６２、６５、６６によって反射される光を最少化するために赤、緑、青のカラーフィルター２１０は４μｍ以内の狭い間隔で形成されるのが好ましく、これらを互いに重なるように形成し得、開口率に影響を与えない範囲で赤、緑、青カラーフィルター２１０の間に反射防止膜が追加され得る。
【００２７】
このような本発明の第１実施例による液晶表示装置では、画素電極８２及び薄膜トランジスタが形成されている下部絶縁基板１０にブラックマトリックス９０が共に形成されていて二つの絶縁基板１０、２００に対する整列を考慮しなくてもいいので、ブラックマトリックス９０の幅を最少に形成して開口率を向上させることができる。
【００２８】
一方、本発明の第１実施例とは違い、ゲート線２２及びデータ線６２と重なる面積を最小化してこれらを通じて伝えられる信号に対する遅延を最少化するためにブラックマトリックスは開口部を有することができる。このことを図面を参照して具体的に説明する。
【００２９】
図３は、本発明の第２実施例による薄膜トランジスタ基板におけるブラックマトリックスの構造を示した平面図である。
【００３０】
図３のように、本発明の第２実施例による薄膜トランジスタ基板において、ブラックマトリックス９０には中央部に開口部９６が形成されている。このように開口部９６を有するブラックマトリックス９０を用いる場合には、ゲート配線２２、２６（図１参照）及びデータ配線６２、６５、６６（図１参照）で開口部９６を完全にふさぐようにして開口部９６を通じて漏洩する光が遮断できるようにする。このような構造ではゲート配線２２、２６及びデータ配線６２、６５、６６とブラックマトリックス９０が重なる面積を最小化することができてゲート配線２２、２６及びデータ配線６２、６５、６６を通じて伝えられる信号に対する遅延を最少化することができる。
【００３１】
このような本発明の第１実施例による薄膜トランジスタ基板の構造では画素電極８２だけを有する構造について例をあげたが、共通電極と画素電極が基板に対してほぼ平行な電場を形成して液晶分子を駆動する平面駆動方式または基板に対してほぼ垂直に配列されており、陰の誘電率を有する垂直配向方式の液晶表示装置にも同一に適用することができる。特に、平面駆動方式の液晶表示装置では側面クロストーク(ｃｒｏｓｓ-ｔａｌｋ)を減らすのにさらに効果的である。これは、側面クロストークはデータ線６２の両側附近でななめに入射する光が漏洩して発生するが、ブラックマトリックス９４がデータ線６２下部でデータ線６２より広い幅で形成されてデータ線６２の下部でななめに入射する光の大部分を遮断するのでクロストークを効果的に減らすことができる。平面駆動方式の液晶表示装置で共通電極と画素電極は基板にほぼ平行な電場を形成するために同一な基板に線状に対向して形成され、共通電極と画素電極はゲート配線またはデータ配線または保護膜上部に互いに異なる層でまたは同一層で形成されることもできる。
【００３２】
本発明の第１及び第２実施例では互いに隣接する画素のブラックマトリックス９０横部９２が連結されるように形成されており、縦部９４が分離されるように形成されているが、反対に横部９２が分離されるように形成して縦部９４を連結されるように形成することもできる。また、ブラックマトリックス９０の横部９２と縦部９４全てが分離されるように形成することができる。
【００３３】
一方、本発明の実施例による薄膜トランジスタ基板ではブラックマトリックス９０を用いて断線した配線を修理することができる。図１のように、データ線６２のＡ部分が断線した場合にはＡ部分を中心に上下に位置するＢ部分にレーザーを照射してブラックマトリックス９０の縦部９４とデータ線６２を短絡して断線したデータ線６２を修理する。この時、Ａ部分の上部データ線６２に伝達される映像信号はＢ部分を通じてブラックマトリックス９０の縦部９４を経由してＡ部分の下部データ線６２に伝えられる。一方、ゲート線２２のＣ部分が断線した場合にはＣ部分を中心に左右に位置するＤ部分にレーザーを照射してブラックマトリックス９０の横部９２とゲート線２２を短絡して断線したゲート線２２を修理する。この時、Ｃ部分の左側ゲート線２２に伝達される走査信号はＤ部分を通じてブラックマトリックス９０の横部９２を経由してＣ部分の右側ゲート線２２に伝えられる。この時、多数の断線した部分が発生した場合にはゲート線２２及びデータ線６２を修理するためにブラックマトリックス９０の横部９２及び縦部９４各々は画素を単位に多数分離されているのが効果的である。
【００３４】
一方、液晶表示装置中でも電界が印加されない状態で液晶分子の長軸を上下基板に対してほぼ垂直をなすように配列した垂直配向モード液晶表示装置はコントラスト比が大きいので多様に用いられている。この時、広視野角を具現するための手段としては画素電極８２または共通電極２３０に開口部パターンを形成する方法[ＰＶＡ(ｐａｔ−ｔｅｒｎｅｄ ｖｅｒｔｉｃａｌｌ ｙａｌｉｇｎｅｄ)モード]と突起を形成する方法などがある。これらはフリンジフィールド(ｆｒｉｎｇｅ ｆｉｅｌｄ)を形成したり先傾斜角(ｐｒｅｔｉｌｔ)を調節して液晶分子の傾斜方向を４方向に均一に分散させて液晶分子を分割配向させることによって広視野角を確保する方法である。この中でもＰＶＡモードは電極８２、２３０に所望の一つ以上の開口部パターンを形成して所望の模様のフリンジフィールドを形成するのに容易である。
【００３５】
このようなＰＶＡ方式の液晶表示装置でもブラックマトリックス９０を下部絶縁基板１０の上部に薄膜トランジスタと共に形成して開口部を増加させることができ、以下、図面を参照して具体的に説明する。
【００３６】
図４は本発明の第３実施例によるＰＶＡ方式の液晶表示装置で画素の構造を概略的に示した配置図であり、図５ａ乃至図５ｄは図４でブラックマトリックスパターン、ゲート配線、データ配線及び電極パターンを各々示した平面図である。
【００３７】
図４及び図５ａ乃至図５ｄのように、大部分の構造は第１実施例と類似している。
【００３８】
図４及び図５ａのように、画素に開口部を有するブラックマトリックスパターン９０は横部９２と縦部９４とを含む。第１実施例と異なって、互いに隣接する画素のブラックマトリックスパターン９０の横部９２が互いに分離されている。
【００３９】
図４及び図５ｂのように、ゲート配線は横方向に形成されているゲート線２２及びゲート線２２の一部である薄膜トランジスタのゲート電極２６を含む。また、ゲート配線は画素電極８２と重なって維持容量を形成するための維持電極２５を含み、維持電極２５は維持容量を十分に確保するために突出部２５１を有する。ゲート配線２２、２６、２５、２５１と同一層には多数分離されているブラックマトリックス９０の縦部９４の間で漏洩する光を遮断するための第１バッファー膜２８がブラックマトリックス９０の縦部９４の間に対応する部分に形成されている。
【００４０】
図４及び図５ｃのように、データ配線は縦方向にのびており、ゲート線２２と交差して画素を定義するデータ線６２、データ線６２に連結されていてゲート電極２６上部まで延びているソース電極６５及びゲート電極２６を中心にソース電極６５と対向するドレーン電極６６を含む。また、データ配線６２、６５、６６は維持電極２５に対応する部分に位置し、以後の画素電極８２と電気的に連結されて維持電極２５と共に維持容量を形成する維持電極用パターン６４を含む。データ配線６２、６５、６６、６４と同一層には多数に分離されているブラックマトリックス９０の横部９２の間で漏洩する光を遮断するための第２バッファー膜６８がブラックマトリックス９０の横部９２の間に対応する部分に形成されている。ここで、図面符号７６及び７４はドレーン電極６６と維持電極用パターン６４を露出する保護膜７０（図２参照）の接触孔を示したものである。このような接触孔７６、７４を通じてドレーン電極６６と維持電極用パターン６４は以後の画素電極８２と電気的に連結される。
【００４１】
図４及び図５ｄのように、画素電極８２には画素電極８２の中央部を横方向に横切る第１開口部８１が形成されている。また、第１開口部８１を中心に上部の画素電極８２中央部を横または縦方向に横切る第２開口部８３が形成されており、第１開口部８１を中心に下部の画素電極８２中央部を横または縦方向に横切る第３開口部８５が形成されている。ここで、図面符号２３２及び２３４は各々第２開口部８３を中心に上下または左右の両側に位置して共通電極２３０（図２参照）に形成されている第４及び第５開口部であり、図面符号２３１及び２３３は各々第３開口部８５を中心に上下または左右の両側に位置し、共通電極２３０（図２参照）に形成されている第６及び第７開口部を指示したものである。
【００４２】
このような本発明の実施例によるＰＶＡ方式の液晶表示装置の構造では前述したように、ブラックマトリックス９０の横部９２及び縦部９４が多数分離されていてゲート配線及びデータ配線の断線を容易に修理することができ、ブラックマトリックス９０を薄膜トランジスタと共に形成することによって、そうではない場合より開口率を１０％程度向上させることができた。
【００４３】
本発明の実施例で開口部は直線または四角形で形成されているが、多様な模様に変形することもできる。また、一つ以上の画素を用いて液晶分子の傾斜方向が４方向になるように形成することもでき、薄膜トランジスタの位置または模様を変形することができ、以下に図面を参照して具体的に説明する。
【００４４】
図６は、本発明の第４実施例によるＰＶＡ方式の液晶表示装置で画素の構造を概略的に示した配置図であり、図７ａ乃至図７ｄは図６でブラックマトリックスパターン、ゲート配線、データ配線及び電極パターンを各々示した平面図である。図６及び図７ａ乃至図７ｄでは互いに隣接する四つの画素を示した図面である。
【００４５】
図６及び図７ａ乃至図７ｄのように、大部分の構造は第３実施例と同一である。
【００４６】
但し、上下または左右の互いに隣接する二つの画素を用いて液晶分子の傾斜方向が４方向になるように画素が配置されている。この時、図６及び７ａ乃至７ｄのように、ブラックマトリックス９０は上下に互いに隣接する画素に対して一つの開口部を有するように形成されており、維持電極２５は互いに隣接する画素列の間に形成されており、互いに隣接する画素列のゲート配線２２、２６は維持電極２５を中心に対向するように配置されている。
【００４７】
また、維持電極２５には以後に形成される画素電極８２に横方向または縦方向に形成されている第１乃至第４開口部８６、８７、８８、８９の縁部角部で液晶分子の異常駆動によって画面上に黒く現れて画質を低下させるテクスチャ−(ｔｅｘｔｕｒ−ｅ)を遮るために第４開口部８６、８７、８８、８９の縁部角部に対応するように形成されている第１遮光膜２５２が連結されている。図面で点線は第１乃至第４開口部８６、８７、８８、８９中央部で液晶分子の異常駆動によって漏洩する光を遮断するために第４開口部８６、８７、８８、８９の中央部に対応するように形成されている第２遮光膜２５３を示したものであって、必須なものではなく、選択的である。図７ｄで図面符号２３１、２３２、２３３及び２３４は第３実施例と同様に共通電極２３０に形成されている開口部を示す。
【００４８】
このように、本発明の実施例による薄膜トランジスタ基板及びその製造方法でブラックマトリックスを薄膜トランジスタ及び配線と共に形成することによって開口率を確保することができる。また、ブラックマトリックスを用いて配線の断線を容易に修理することができる。
【図面の簡単な説明】
【図１】  本発明の実施例による薄膜トランジスタ基板の構造を示した配置図である。
【図２】  図１でＩＩ-ＩＩ’線に沿って切断して示した断面図である。
【図３】  本発明の第２実施例による薄膜トランジスタ基板でブラックマトリックスの構造を示した平面図である。
【図４】  本発明の第３実施例によるＰＶＡ方式の液晶表示装置で画素の構造を概略的に示した配置図である。
【図５】  図４でブラックマトリックスパターン、ゲート配線、データ配線及び電極パターンを各々示した平面図である。
【図６】  本発明の第４実施例によるＰＶＡ(ｐａｔｔｅｒｎｅｄ ｖｅｒｔｉｃａｌ ａｌ−ｉｇｎ)方式の液晶表示装置で画素の構造を概略的に示した配置図である。
【図７】  図６でブラックマトリックスパターン、ゲート配線、データ配線及び電極パターンを各々示した平面図である。
【符号の説明】
１０  下部絶縁基板
２２、２６  ゲート配線
２５  維持電極
２８  バッファー膜
３０  ゲート絶縁膜
４０  薄膜トランジスタの半導体層
５０  絶縁膜
５５、５６  抵抗性接触層
６２、６５、６６  データ配線
７０  保護膜
７２  接触孔
７６  接触孔
８２  画素電極
８６、８７、８８、８９  開口部
９０  ブラックマトリックス
９２  横部
９４  縦部
１００  絶縁膜
２３０  共通電極
２３１、２３２、２３３、２３４  開口部
２５２  第１遮光膜
２５３  第２遮光膜
【図１】
0004733844.tif 000002
【図２】
0004733844.tif 000003
【図３】
0004733844.tif 000004
【図４】
0004733844.tif 000005
【図５】
0004733844.tif 000006
【図６】
0004733844.tif 000007
【図７】
0004733844.tif 000008